(57)【特許請求の範囲】
【請求項１】
筐体(１)の表面に化粧パネル(４)が着脱操作可能に配備されている小型電子機器において、
筐体(１)と化粧パネル(４)の係合部に設けられて、筐体(１)上に化粧パネル(４)を係止する複数のフック機構と、
前記複数のフック機構の内、１つのフック機構による化粧パネル(４)の係止を解除するための操作釦を具えた係止解除機構と、
前記係止解除機構による化粧パネル(４)の係止が解除されたときに該化粧パネル(４)の取り外し方向の移動に対して摩擦抵抗を与える抵抗付与機構
とを具え、前記１つのフック機構は、前記化粧パネル(４)の裏面に突設されたフック部(41)を有し、前記筐体(１)の外壁には、前記フック部(41)が係合すべき係合孔(21)が開設され、前記係止解除機構の操作釦は、筐体(１)の内部に向けて押し込む方向の操作が可能に配備され、該操作釦には、押し込み操作の過程で、前記フック部(41)を前記係合孔(21)との係合を解除する方向に押圧する押圧面(63)が設けられていることを特徴とする小型電子機器。
【請求項２】
筐体(１)と、該筐体(１)の表面に対する着脱操作が可能な化粧パネル(４)とを具えた小型電子機器において、
前記化粧パネル(４)の裏面には、一方の端部に第１フック部(41)が突設されると共に、他方の端部に１或いは複数の第２フック部(42)が突設され、前記筐体(１)の外壁には、前記第１フック部(41)が係合すべき第１係合孔(21)と、前記１或いは複数の第２フック部(42)がそれぞれ係合すべき１或いは複数の第２係合孔(16)とが開設され、前記第１係合孔(21)が開設された筐体(１)の端部には、化粧パネル(４)を筐体(１)から取り外すための取り外し釦(６)が、筐体(１)の内部に向けて押し込む方向の操作が可能に配備され、該取り外し釦(６)には、押し込み操作の過程で、前記第１フック部(41)を前記第１係合孔(21)との係合を解除する方向に押圧する押圧面(63)が設けられ、化粧パネル(４)は、第１フック部(41)と第１係合孔(21)との係合を解除した後、第２フック部(42)が突設された他方の端部側を支点として、第１フック部(41)が突設された一方の端部側を筐体(１)の表面から離間させる方向に回動させることにより、筐体(１)の表面から取り外すことが可能であり、第２係合孔(16)には、第２フック部(42)の基端部(42c)と対向して、化粧パネル(４)の回転軸に対して傾斜する傾斜面(17a)が設けられ、化粧パネル(４)が回動する過程で第２フック部(42)の基端部(42c)が前記傾斜面(17a)上を摺動することを特徴とする小型電子機器。
【請求項３】
前記化粧パネル(４)はＵ字状を呈し、前記第１フック部(41)が前記化粧パネル(４)の基端部の裏面に突設されると共に、前記第２フック部(42)が前記化粧パネル(４)の両先端部の裏面にそれぞれ突設され、前記取り外し釦(６)の押し込み操作によって前記化粧パネル(４)の第１フック部(41)と筐体(１)の第１係合孔(21)との係合が解除された時、前記化粧パネル(４)は、該化粧パネル(４)の両先端部を結ぶ直線に沿う回転軸を中心として、前記基端部が前記筐体(１)の表面から離間する方向に回動する請求項２に記載の小型電子機器。
【請求項４】
前記取り外し釦(６)は、その一部が前記筐体(１)の端部に開設された開口(18a)から露出した第１位置と、前記筐体(１)の内部に押し込まれた第２位置との間で往復移動が可能に前記筐体(１)の端部に保持されており、該筐体(１)の端部には、前記取り外し釦(６)を前記第１位置に向けて付勢する付勢部材が取り付けられている請求項２又は請求項３に記載の小型電子機器。
【発明の詳細な説明】
【技術分野】
【０００１】
本発明は、筐体の表面に着脱自在に取り付けられる化粧パネルを具えた携帯電話機等の小型電子機器に関するものである。
【背景技術】
【０００２】
従来の携帯電話機においては、多種多様なユーザの趣向に対応するため、デザインの異なる化粧パネルを用意し、該化粧パネルを携帯電話機の表面に着脱自在に取り付けられるように構成したものがある(例えば、特許文献１参照)。
この様な携帯電話機において、化粧パネルの取り付け構造としては、化粧パネルに設けたフック部と、筐体に設けたフック受け部とからなる係脱可能な係合構造(以下、フック構造という)と、化粧パネルと筐体とをねじを用いて互いに締結した構造(以下、ねじ締結構造という)とが知られている。
【特許文献１】特開２００３−１４３２６８号公報  [H04M 1/02]
【発明の開示】
【発明が解決しようとする課題】
【０００３】
しかしながら、化粧パネルの取り付け構造として上述のフック構造を用いた場合、化粧パネルの取り付け及び取り外しが容易である必要があるため、前記フック部のフック受け部に対する係合深さは小さいものとなる。このため、ユーザが過って携帯電話機を床面に落下させたときに、化粧パネルが容易に外れてしまう虞がある。
一方、上述のねじ締結構造を用いた場合には、ユーザが過って携帯電話機を床面に落下させたとしても化粧パネルが外れてしまうことはないものの、着脱時に工具等が必要となる問題がある。
そこで、本発明の目的は、化粧パネルの着脱に工具等が不要で、然も、化粧パネルの取り外し時やユーザが過って床面に落下させたときに、化粧パネルが脱落することのない小型電子機器を提供することである。
【課題を解決するための手段】
【０００４】
本発明に係る小型電子機器は、筐体(１)の表面に化粧パネル(４)が着脱操作可能に配備されており、筐体(１)と化粧パネル(４)の係合部に設けられて、筐体(１)上に化粧パネル(４)を係止する複数のフック機構と、
前記複数のフック機構の内、１つのフック機構による化粧パネル(４)の係止を解除するための操作釦を具えた係止解除機構と、
前記係止解除機構による化粧パネル(４)の係止が解除されたときに該化粧パネル(４)の取り外し方向の移動に対して摩擦抵抗を与える抵抗付与機構
とを具えている。
【０００５】
上記本発明に係る小型電子機器によれば、前記係止解除機構を構成する操作釦の操作によって、前記複数のフック機構の内、１つのフック機構による化粧パネル(４)の係止を解除することが出来るので、前記複数のフック機構の係合深さを従来のフック機構の係合深さよりも大きく設定することが出来る。
これにより、化粧パネル(４)の着脱に工具等が不要で、且つユーザが過って床面に落下させたとしても化粧パネル(４)が容易に外れてしまうことがない化粧パネル(４)の取り付け構造を実現することが出来る。
【０００６】
又、前記係止解除機構によって化粧パネル(４)の係止が解除されたときに前記抵抗付与機構から該化粧パネル(４)に与えられる摩擦抵抗によって、化粧パネル(４)の取り外し方向の移動に対して抗力が発揮されることになる。従って、前記係止解除機構によって化粧パネル(４)の係止が解除されたときに、化粧パネル(４)が筐体(１)の表面から脱落してしまうことはない。
【０００７】
又、本発明に係る小型電子機器は、筐体(１)と、該筐体(１)の表面に対する着脱操作が可能な化粧パネル(４)とを具え、前記化粧パネル(４)の裏面には、一方の端部に第１フック部(41)が突設されると共に、他方の端部に１或いは複数の第２フック部(42)が突設され、前記筐体(１)の外壁には、前記第１フック部(41)が係合すべき第１係合孔(21)と、前記１或いは複数の第２フック部(42)がそれぞれ係合すべき１或いは複数の第２係合孔(16)とが開設されている。前記第１係合孔(21)が開設された筐体(１)の端部には、化粧パネル(４)を筐体(１)から取り外すための取り外し釦(６)が、筐体(１)の内部に向けて押し込む方向の操作が可能に配備され、該取り外し釦(６)には、押し込み操作の過程で、前記第１フック部(41)を前記第１係合孔(21)との係合を解除する方向に押圧する押圧面(63)が設けられている。
【０００８】
化粧パネル(４)は、第１フック部(41)と第１係合孔(21)との係合を解除した後、第２フック部(42)が突設された他方の端部側を支点として、第１フック部(41)が突設された一方の端部側を筐体(１)の表面から離間させる方向に回動させることにより、筐体(１)の表面から取り外すことが可能であり、第２係合孔(16)には、第２フック部(42)の基端部(42c)と対向して、化粧パネル(４)の回転軸に対して傾斜する傾斜面(17a)が設けられ、化粧パネル(４)が回動する過程で第２フック部(42)の基端部(42c)が前記傾斜面(17a)上を摺動する。
【０００９】
具体的には、前記取り外し釦(６)の押し込み操作によって前記化粧パネル(４)の第１フック部(41)と筐体(１)の第１係合孔(21)との係合が解除された時、前記化粧パネル(４)は、該化粧パネル(４)の両先端部を結ぶ直線に沿う回転軸を中心として、前記基端部が前記筐体(１)の表面から離間する方向に回動する。
【００１０】
上記本発明に係る小型電子機器において、前記化粧パネル(４)を筐体(１)の表面に取り付ける場合には、先ず化粧パネル(４)の一端に突設された第２フック部(42)を筐体(１)の第２係合孔(16)に挿入した後、該化粧パネル(４)を筐体(１)の表面に対して押し付ける。この過程で、化粧パネル(４)の他端に突設された第１フック部(41)が、筐体(１)の第１係合孔(21)の内面に当接する。このとき、化粧パネル(４)の他端に突設された第２フック部(42)が、筐体(１)の第２係合孔(16)に係合しているので、化粧パネル(４)は、筐体(１)の表面から浮き上がる方向に湾曲することになる。化粧パネル(４)の湾曲に伴って、化粧パネル(４)の第１フック部(41)が第１係合孔(21)の内面を摺動し、該第１係合孔(21)を通過すると、化粧パネル(４)が弾性復帰して、第１フック部(41)と第１係合孔(21)とが互いに係合することになる。この様にして、前記化粧パネル(４)を筐体(１)の表面に容易に取り付けることが出来る。
【００１１】
一方、前記化粧パネル(４)を筐体(１)から取り外す場合には、筐体(１)の端部に配備された取り外し釦(６)を筐体(１)の内部に向けて押し込む。取り外し釦(６)の押し込み操作の過程で、取り外し釦(６)の押圧面(63)が、第１フック部(41)を筐体(１)の第１係合孔(21)との係合を解除する方向に押圧する。このとき、化粧パネル(４)の他端に突設された第２フック部(42)が、筐体(１)の第２係合孔(16)に係合しているので、化粧パネル(４)は、筐体(１)の表面から浮き上がる方向に湾曲することになる。化粧パネル(４)の湾曲に伴って、第１フック部(41)の先端が第１係合孔(21)の内面に至り、該内面を摺動して第１係合孔(21)から離脱し、この結果、第１フック部(41)と第１係合孔(21)との係合が解除されることになる。
【００１２】
これにより、前記第１フック部(41)が突設された化粧パネル(４)の一端が筐体(１)の表面から離間し、化粧パネル(４)は、第２フック部(16)が突設された他端側を支点として回動することになる。これに伴って、化粧パネル(４)の第２フック部(16)は、筐体(１)の第２係合孔(16)から離脱する方向に移動を開始する。しかしながら、前記第２フック部(16)が前記第２係合孔(16)から離脱する過程で、該第２フック部(42)の基端部(42c)が前記第２係合孔(16)の傾斜面(17a)に当接して、化粧パネル(４)のそれ以上の回動が受け止められる。従って、前記取り外し釦(６)の操作によって前記化粧パネル(４)の第１フック部(41)と筐体(１)の第１係合孔(21)との係合が解除されたときに、化粧パネル(４)が筐体(１)の表面から脱落してしまうことはない。
【００１３】
その後、筐体(１)の表面から浮き上がった化粧パネル(４)の一端を把持して、化粧パネル(４)を更に回動させる。この際、第２係合孔(16)の傾斜面(17a)のカム作用によって、第２フック部(42)の基端部(42c)が該傾斜面(17a)上を摺動する。そして、第２フック部(42)の基端部(42c)が第２係合孔(21)の傾斜面(17a)に圧接されることにより、該傾斜面(17a)からの反発力を受けて、化粧パネル(４)には弾性変形が生じることになる。
【００１４】
ここで、傾斜面(17a)は、化粧パネル(４)の回転軸に対して傾斜しているので、第２フック部(42)の基端部(42c)は、上述の化粧パネル(４)の弾性変形に伴って、第２係合孔(16)の傾斜面(17a)から離間することになる。そして、化粧パネル(４)を更に回動させることによって、化粧パネル(４)の第２フック部(42)が、筐体(１)の第２係合孔(16)から離脱する。この様にして、化粧パネル(４)を筐体(１)の表面から容易に取り外すことが出来る。
【００１５】
上述の如く、上記本発明に係る小型電子機器は、取り外し釦(６)の押し込み操作により化粧パネル(４)を弾性変形させて、化粧パネル(４)の第１フック部(41)と筐体(１)の第１係合孔(21)との係合を解除することが出来るので、第１及び第２フック部(41)(42)の第１及び第２係合孔(21)(16)に対する係合深さを従来のフック構造の係合深さよりも大きく設定することが出来る。
これにより、化粧パネル(４)の着脱に工具等が不要で、且つユーザが過って床面に落下させたとしても化粧パネル(４)が容易に外れてしまうことがない化粧パネル(４)の取り付け構造を実現することが出来る。
【００１６】
具体的構成において、前記取り外し釦(６)は、その一部が前記筐体(１)の端部に開設された開口(18a)から露出した第１位置と、前記筐体(１)の内部に押し込まれた第２位置との間で往復移動が可能に前記筐体(１)の端部に保持されており、該筐体(１)の端部には、前記取り外し釦(６)を前記第１位置に向けて付勢する付勢部材が取り付けられている。
【００１７】
該具体的構成によれば、取り外し釦(６)を前記第１位置から第２位置へ押し込むことにより、化粧パネル(４)の第１フック部(41)と筐体(１)の第１係合孔(21)との係合が解除されることになる。
【発明の効果】
【００１８】
本発明の小型電子機器によれば、化粧パネルの着脱に工具等が不要で、然も、化粧パネルの取り外し時やユーザが過って床面に落下させたときに化粧パネルが脱落することはない。
【発明を実施するための最良の形態】
【００１９】
以下、本発明を折り畳み式携帯電話機に実施した形態につき、図面に沿って具体的に説明する。
本発明の折り畳み式携帯電話機は、図１及び図２に示す如く、第１筐体(１)と第２筐体(３)とをヒンジ機構(12)を介して互いに開閉可能に連結して構成される。第１筐体(１)は前面ケース半体(13)と背面ケース半体(14)とを互いに接合して構成され、第１筐体(１)の内部には、前面ケース半体(13)に向けてメインＬＣＤ(11)が配備されると共に、背面ケース半体(14)に向けてサブＬＣＤ(15)が配備されている。又、第２筐体(３)には第１筐体(１)との対向面に、複数の操作釦(31)〜(31)が配備されると共に、第２筐体(３)の基端部にはアンテナ(32)が突設されている。
図２に示す如く、背面ケース半体(14)の表面には、Ｕ字状の化粧パネル(４)が着脱可能に取り付けられており、背面ケース半体(14)の基端部には開口(18a)が開設され、該開口(18a)から化粧パネル(４)を取り外す際に操作すべき取り外し釦(６)の頭部(64)が露出している。
【００２０】
化粧パネル(４)は合成樹脂製の成型品からなり、図３に示す如く、該化粧パネル(４)の裏面には、基端部にＬ字状の第１フック部(41)が突設されると共に、両先端部にＬ字状の一対の第２フック部(42)(42)が突設されている。又、図６及び図９に示す如く、背面ケース半体(14)の外壁には、化粧パネル(４)の第１フック部(41)が係合すべき第１係合孔(21)が、基端部中央に開設されると共に、化粧パネル(４)の一対の第２フック部(42)(42)がそれぞれ係合すべき一対の第２係合孔(16)(16)が、略中央の左右両端部に開設されている。
【００２１】
図４に示す如く、化粧パネル(４)の第１フック部(41)は、化粧パネル(４)の裏面から垂直に伸びる断面台形状の基部(41a)と、該基部(41a)から化粧パネル(４)の裏面に沿って外側へ向けて屈曲する舌片(41b)とを具えている。基部(41a)には、化粧パネル(４)の内側に向けて傾斜する傾斜面(41c)が形成されており、該傾斜面(41c)に舌片(41b)が突設されている。
又、図５に示す如く、化粧パネル(４)の第２フック部(42)は、化粧パネル(４)の裏面から垂直に伸びる基部(42a)と、該基部(42a)にから化粧パネル(４)の裏面に沿って外側へ向けて屈曲する舌片(42b)とを具えている。
【００２２】
図７及び図８に示す如く、背面ケース半体(14)の第２係合孔(16)は、略矩形状の開口形状を有している。前記第２フック部(42)は、第２係合孔(16)の矩形状の開口形状を形成する４つの開口縁(16a)(16b)(16c)(16d)の内、背面ケース半体(14)の基端部側の開口縁(16a)から、反体側の開口縁(16b)に向けて挿入される。以下、背面ケース半体(14)の基端部側を前方、先端部側を後方という。
図７、図８、図１０乃至図１２に示す如く、第２係合孔(16)には、前記第２フック部(42)の挿入方向とは交叉する前方の開口縁(16a)と該挿入方向に沿う外側の開口縁(16c)とが互いに交叉する角部に、背面ケース半体(14)の内部に向けて傾斜する３角形状の突片(17)が突設されている。又、図８に示す如く、突片(17)の先端には、外側の開口縁(16c)から前方の開口縁(16a)に向かって傾斜する傾斜面(17a)が形成されている。
【００２３】
図１３及び図１４に示す如く、背面ケース半体(14)の基端部の裏面には、取り外し釦(６)を保持するためのホルダ部(18)が設けられており、該ホルダ部(18)は、取り外し釦(６)の頭部(64)を外部に露出させるための開口(18a)と、取り外し釦(18)の両側面に沿う一対のガイド壁(18b)(18b)とを具えている。化粧パネル(４)の第１フック部(41)が挿入されるべき第１係合孔(21)は、図１４に示す如く、取り外し釦(６)に対向する背面ケース半体(14)の外壁に開設されている。又、一対のガイド壁(18b)(18b)の上部には、一対のバネ掛け溝(19)(19)が凹設されている。
【００２４】
図１５に示す如く、取り外し釦(６)は、背面ケース半体(14)の開口(18a)から露出する頭部(64)と、該頭部(64)とは反対側に突設されたＬ字状のバネ掛け片(62)と、図４に示す化粧パネル(４)の第１フック部(41)の傾斜面(41c)に摺接し該傾斜面(41c)を押圧する一対の押圧面(63a)(63a)とを具えている。
【００２５】
図１３及び図１４に示す如く、取り外し釦(６)のバネ掛け片(62)と、ホルダ部(18)の一対のガイド壁(18b)(18b)に凹設された一対のバネ掛け溝(19)(19)との間には、トーションバネ(61)が張設されている。図１３に示す如く、取り外し釦(６)は、トーションバネ(61)の弾性力によって、開口(18a)が開設された背面ケース半体(14)の外壁の内面に押し付けられた状態でホルダ部(18)に保持されており、この状態で、図２に示す如く、背面ケース半体(14)の開口(18a)から取り外し釦(６)の頭部(64)が露出している。
【００２６】
図１６乃至図１８、図２２乃至図２４及び図２７は、化粧パネル(４)が背面ケース半体(14)に取り付けられた状態を示している。化粧パネル(４)は、図１７に示す如く、第１フック部(41)が背面ケース半体(14)の第１係合孔(21)の前方側の開口縁に係合すると共に、図２３及び図２４に示す如く、第２フック部(42)が第２係合孔(16)の後方側の開口縁(16b)に係合して、背面ケース半体(14)に取り付けられている。又、この状態において、図１８に示す如く、取り外し釦(６)の一対の押圧面(63a)(63a)と化粧パネル(４)の第１フック部(41)の傾斜面(41c)とが互いに摺接しており、図２４に示す如く、化粧パネル(４)の第２フック部(42)の基端部(42c)は、第２係合孔(16)の突片(17)の傾斜面(17a)から離間している。
【００２７】
化粧パネル(４)を背面ケース半体(14)から取り外す場合には、取り外し釦(６)の頭部(64)をトーションバネ(61)の付勢力に抗して第１筐体(１)の内側に向けて押し込む。取り外し釦(６)の頭部(64)が押し込まれると、図１８に示す如く、取り外し釦(６)の一対の押圧面(63a)(63a)が、化粧パネル(４)の第１フック部(41)の傾斜面(41c)を押圧する。ここで、図２３及び図２４に示す如く、化粧パネル(４)は、第２フック部(42)と第２係合孔(16)との係合により後方への移動が不能に規制されているため、取り外し釦(６)の押し込み操作に伴って、化粧パネル(４)は、背面ケース半体(14)から浮き上がる方向に湾曲する。化粧パネル(４)の湾曲に伴って、第１フック部(41)の先端が第１係合孔(21)の内面に至り、該内面を摺動して第１係合孔(21)から離脱し、この結果、図１９乃至図２１に示す如く、第１フック部(41)と第１係合孔(21)との係合が解除されることになる。
【００２８】
このとき、図２０及び図２１に示す如く、第１フック部(41)が突設された化粧パネル(４)の基端部側が、背面ケース半体(14)から浮き上がることとなり、これに伴って化粧パネル(４)には、両先端部を結ぶ直線に沿う回転軸を中心とする回動力が作用することになる。これによって、化粧パネル(４)の第２フック部(42)は、背面ケース半体(14)の第２係合孔(16)から離脱する方向に回動することになる。
化粧パネル(４)の回動に伴って、該化粧パネル(４)の第２フック部(42)の基端部(42c)は、図２４中に一点鎖線で示す移動軌跡Ｌに沿って反時計回りに回動を開始するが、僅かな回動の後に、第２フック部(42)の基端部(42c)の一端が、第２係合孔(16)の突片(17)の傾斜面(17a)に当接し、該傾斜面(17a)によって、化粧パネル(４)のそれ以上の回動が受け止められる。これにより、第２フック部(42)の第２係合孔(16)からの離脱が防止されるので、前記取り外し釦(６)の操作によって化粧パネル(４)の第１フック部(41)と筐体(１)の第１係合孔(21)との係合が解除されたときに、化粧パネル(４)が筐体(１)の表面から脱落してしまうことはない。
【００２９】
その後、筐体(１)の表面から浮き上がった化粧パネル(４)の基端部側を把持して、化粧パネル(４)を更に回動させる。この際、第２係合孔(16)の傾斜面(17a)のカム作用によって、第２フック部(42)の基端部(42c)が、該傾斜面(17a)上を摺動する。そして、第２フック部(42)の基端部(42c)が第２係合孔(21)の傾斜面(17a)に圧接されることにより、該傾斜面(17a)からの反発力を受けて、化粧パネル(４)には、図２８中に矢印で示す如く両先端部が互いに接近する方向の弾性変形が生じることになる。
【００３０】
ここで、傾斜面(17a)は、化粧パネル(４)の回転軸に対して傾斜しているので、第２フック部(42)の基端部(42c)は、上述の化粧パネル(４)の弾性変形に伴って、図２９に示す如く第２係合孔(16)の傾斜面(17a)から離間することになる。そして、化粧パネル(４)を更に回動させることによって、化粧パネル(４)の第２フック部(42)が、背面ケース半体(14)の第２係合孔(16)から離脱する。この様にして、前記化粧パネル(４)を第１筐体(１)の表面から容易に取り外すことが出来る。
【００３１】
化粧パネル(４)を背面ケース半体(14)に取り付ける場合には、先ず、図２５及び図２６に示す如く、化粧パネル(４)の両第２フック部(42)(42)を背面ケース半体(14)の両第２係合孔(16)(16)に挿入し、その後、第１フック部(41)が突設された化粧パネル(４)の基端部側を背面ケース半体(14)に押し付ける。
この過程で、図２０に示す如く、化粧パネル(４)の第１フック部(41)が、背面ケース半体(14)の第１係合孔(21)の内面に当接する。このとき、図２３及び図２４に示す如く、化粧パネル(４)の第２フック部(42)と背面ケース半体(14)の第２係合孔(16)の係合によって、該第２フック部(42)が突設された両先端部側への化粧パネル(４)の背面ケース半体(14)に対する相対移動は不能に規制されているため、化粧パネル(４)は、背面ケース半体(14)の表面から浮き上がる方向に湾曲することになる。
【００３２】
ここで、図２０に示す如く、第１係合孔(21)の内面は、第１筐体(１)の内部に向かって傾斜しているので、化粧パネル(４)の湾曲に伴って、第１フック部(41)の先端が、第１係合孔(21)の内面を摺動することになる。そして、第１フック部(41)が第１係合孔(21)を通過すると、化粧パネル(４)が弾性復帰して、第１フック部(41)と第１係合孔(21)とが互いに係合することになる。この様にして、前記化粧パネル(４)を筐体(１)の表面に容易に取り付けることが出来る。
【００３３】
上述の如く、本発明の折り畳み式携帯電話機によれば、取り外し釦(６)の押し込み操作により化粧パネル(４)を弾性変形させて、化粧パネル(４)の第１フック部(41)と第１筐体(１)の第１係合孔(21)との係合を解除することが出来るので、第１及び第２フック部(41)(42)(42)の第１及び第２係合孔(21)(16)(16)に対する係合深さを従来のフック構造の係合深さよりも大きく設定することが出来る。
これにより、化粧パネル(４)の着脱に工具等が不要で、然もユーザが過って床面に落下させたとしても化粧パネル(４)が容易に外れてしまうことがない化粧パネル(４)の取り付け構造を実現することが出来る。
【００３４】
更に、本発明の折り畳み式携帯電話機によれば、化粧パネル(４)の取り外し時に、取り外し釦(６)の押し込み操作により、化粧パネル(４)の第１フック部(41)と第１筐体(１)の第１係合孔(21)との係合が解除された時に、化粧パネル(４)の第２フック部(42)が、第１筐体(１)の第２係合孔(16)から離脱することを防止することが出来るので、化粧パネル(４)が第１筐体(１)から脱落してしまうことはない。
【００３５】
尚、本発明の各部構成は上記実施の形態に限らず、特許請求の範囲に記載の技術的範囲内で種々の変形が可能である。例えば、本実施例では、取り外し釦(６)の押し込み操作によって化粧パネル(４)の係止が解除された時に、化粧パネル(４)が第１筐体(１)から脱落してしまうことを防止すべく、第１筐体(１)の第２係合孔(16)に、化粧パネル(４)の第２フック部(42)の基端部(42c)に摺接する傾斜面(17a)を形成したが、この代わりに、化粧パネル(４)の係止が解除されたときに該化粧パネル(４)の取り外し方向の移動に対して摩擦抵抗を与えることが出来る他の構成を採用することも可能である。
【００３６】
更に、本発明は次の構成を具えていれば、その範囲内で種々の変形が可能である。例えば、取り外し釦(６)の押し込み操作によって化粧パネル(４)の係止が解除されたときに、化粧パネル(４)が本体から脱落しない様、化粧パネル(４)を係止状態の第１位置(図２参照)から移動させ、第２位置(フックが外れた位置)の配置にする。その際には、化粧パネル(４)は外れないが、その後、前記第１位置から離れる方向の第３位置(図２５参照)に前記第２位置から移動させると、化粧パネル(４)は簡単に外れるようになる。
【図面の簡単な説明】
【００３７】
【図１】本発明に係る折り畳み式携帯電話機の開状態を示す斜視図である。
【図２】該折り畳み式携帯電話機の閉状態を示す斜視図である。
【図３】化粧パネルを裏面側から見た斜視図である。
【図４】図３のＡ部の拡大斜視図である。
【図５】図３のＢ部の拡大斜視図である。
【図６】背面ケース半体の斜視図である。
【図７】図６のＣ部の拡大斜視図である。
【図８】背面ケース半体の第２係合孔を拡大して示す斜視図である。
【図９】背面ケース半体の正面図である。
【図１０】図９のＤ部の拡大図である。
【図１１】図９のＥ−Ｅ線に沿う断面図である。
【図１２】図９のＦ−Ｆ線に沿う断面図である。
【図１３】背面ケース半体の基端部を裏面側から見た斜視図である。
【図１４】背面ケース半体の基端部に配備された取り外し釦の取り付け構造を示す分解斜視図である。
【図１５】取り外し釦の斜視図である。
【図１６】化粧パネルが取り付けられた背面ケース半体の基端部を拡大して示す平面図である。
【図１７】図１６のＧ−Ｇ線に沿う断面図である。
【図１８】図１６のＨ−Ｈ線に沿う断面図である。
【図１９】化粧パネルが取り外された背面ケース半体の基端部を拡大して示す平面図である。
【図２０】図１９のＧ−Ｇ線に沿う断面図である。
【図２１】図１９のＨ−Ｈ線に沿う断面図である。
【図２２】化粧パネルが取り付けられた背面ケース半体を示す平面図である。
【図２３】図２２のＩ−Ｉ線に沿う断面図である。
【図２４】図２２のＪ部の拡大図である。
【図２５】化粧パネルの第２フック部が背面ケース半体の第２係合孔に挿入された状態を示す斜視図である。
【図２６】図２５のＪ部の拡大図である。
【図２７】化粧パネルが取り付けられた状態における第２フック部と第２係合孔との係合状態を拡大して示す斜視図である。
【図２８】化粧パネルを取り外す第１段階における第２フック部と第２係合孔との係合状態を拡大して示す斜視図である。
【図２９】化粧パネルを取り外す第２段階における第２フック部と第２係合孔との係合状態を拡大して示す斜視図である。
【符号の説明】
【００３８】
(１)  第１筐体
(13)  前面ケース半体
(14)  背面ケース半体
(16)  第２係合孔
(17)  突片
(17a)  傾斜面
(18)  ホルダ部
(18a)  開口
(21)  第１係合孔
(３)  第２筐体
(４)  化粧パネル
(41)  第１フック部
(42)  第２フック部
(42c)  基端部
(６)  取り外し釦
(61)  トーションバネ
(63)  押圧面
【図１】
0004566118.tif 000002
【図２】
0004566118.tif 000003
【図３】
0004566118.tif 000004
【図４】
0004566118.tif 000005
【図５】
0004566118.tif 000006
【図６】
0004566118.tif 000007
【図７】
0004566118.tif 000008
【図８】
0004566118.tif 000009
【図９】
0004566118.tif 000010
【図１０】
0004566118.tif 000011
【図１１】
0004566118.tif 000012
【図１２】
0004566118.tif 000013
【図１３】
0004566118.tif 000014
【図１４】
0004566118.tif 000015
【図１５】
0004566118.tif 000016
【図１６】
0004566118.tif 000017
【図１７】
0004566118.tif 000018
【図１８】
0004566118.tif 000019
【図１９】
0004566118.tif 000020
【図２０】
0004566118.tif 000021
【図２１】
0004566118.tif 000022
【図２２】
0004566118.tif 000023
【図２３】
0004566118.tif 000024
【図２４】
0004566118.tif 000025
【図２５】
0004566118.tif 000026
【図２６】
0004566118.tif 000027
【図２７】
0004566118.tif 000028
【図２８】
0004566118.tif 000029
【図２９】
0004566118.tif 000030